(57)【要約】【課題】面格子を単純な構成でしかも簡単な操作で庇状にすることができるようにすることを目的とする。【解決手段】窓枠の縦枠材の上方に枢軸を突設し、窓枠の開口を開閉する面格子を前記枢軸の回りに回動自在に設け、窓枠の縦枠材の中央部に回転軸を突設し、回転軸に固定式歯車を嵌めて固定し、開閉アームと開閉レバーを一体化してその中間部に前記回転軸を枢着して回動自在に設け、開閉アームの先端のガイドローラを面格子縦枠の溝状ガイドに摺動自在に設け、開閉レバーの側面に先端に櫛状歯を刻設したクラッチレバーを摺動自在に設け、クラッチレバーの櫛状歯が固定式歯車と噛み合うように付勢する復帰バネを設けてなる開閉面格子とした。【選択図】　図１
2004108092.tif 000002
【特許請求の範囲】
【請求項１】
窓枠の縦枠材の上方に枢軸を突設し、窓枠の開口を開閉する面格子を前記枢軸の回りに回動自在に設け、窓枠の縦枠材の中央部に回転軸を突設し、回転軸に固定式歯車を嵌めて固定し、開閉アームと開閉レバーを一体化してその中間部に前記回転軸を枢着して回動自在に設け、開閉アームの先端のガイドローラを面格子縦枠の溝状ガイドに摺動自在に設け、開閉レバーの側面に先端に櫛状歯を刻設したクラッチレバーを摺動自在に設け、クラッチレバーの櫛状歯が固定式歯車と噛み合うように付勢する復帰バネを設けてなる開閉面格子。
【請求項２】
窓枠の縦枠材の上方に枢軸を突設し、窓枠の開口を開閉する面格子を前記枢軸の回りに回動自在に設け、窓枠の縦枠材の中央部に回転軸を突設し、開閉レバーと第一アームを一体化してその中間部に前記回転軸を枢着して回動自在に設け、第一アームの先端に第二アームの基端を枢着し、第一アームの先端を面格子縦枠外面に枢着し、開閉レバーの基端に開閉ハンドルを設け、第一アームと第二アームとが直線になる位置を超えて開閉レバーを回動させ面格子を固定するようにして開閉面格子。
【発明の詳細な説明】
【０００１】
【発明の属する技術分野】
本発明は、開閉面格子に関するものである。特に、緊急脱出可能な面格子に関するものである。
【０００２】
【従来の技術】
従来の面格子としては、窓の開閉には引違い方式のものがある。
【０００３】
しかし、面格子を庇状にするものは、現在存在しない。
【０００４】
【発明が解決しようとする課題】
窓の開閉が引違い方式の開閉面格子では、面格子を庇状にすることができず、十分な日除けの機能を果たすことができなかった。
【０００５】
【課題を解決するための手段】
本発明は、上記の事情に鑑み、面格子を単純な構成でしかも簡単な操作で庇状にすることができるようにすべく、窓枠の縦枠材の上方に枢軸を突設し、窓枠の開口を開閉する面格子を前記枢軸の回りに回動自在に設け、窓枠の縦枠材の中央部に回転軸を突設し、回転軸に固定式歯車を嵌めて固定し、開閉アームと開閉レバーを一体化してその中間部に前記回転軸を枢着して回動自在に設け、開閉アームの先端のガイドローラを面格子縦枠の溝状ガイドに摺動自在に設け、開閉レバーの側面に先端に櫛状歯を刻設したクラッチレバーを摺動自在に設け、クラッチレバーの櫛状歯が固定式歯車と噛み合うように付勢する復帰バネを設けてなる開閉面格子とした。
【０００６】
また、本発明は、面格子を単純な構成でしかも簡単な操作で庇状にすることができるようにすべく、窓枠の縦枠材の上方に枢軸を突設し、窓枠の開口を開閉する面格子を前記枢軸の回りに回動自在に設け、窓枠の縦枠材の中央部に回転軸を突設し、開閉レバーと第一アームを一体化してその中間部に前記回転軸を枢着して回動自在に設け、第一アームの先端に第二アームの基端を枢着し、第一アームの先端を面格子縦枠外面に枢着し、開閉レバーの基端に開閉ハンドルを設け、第一アームと第二アームとが直線になる位置を超えて開閉レバーを回動させ面格子を固定するようにして開閉面格子とした。
【０００７】
【発明の実施の態様】
本発明を添付する図面に示す具体的な実施例に基づいて、以下詳細に説明する。
【０００８】
歯車ストッパー式の開閉面格子について説明する。
【０００９】
図１は窓開側側面図で、図２は図１の平面図である。
【００１０】
窓枠の縦枠材１の上部に水平状にして枢軸２を突設する。窓枠の開口を開閉する面格子３を前記枢軸２の回りに回動自在に設ける。
【００１１】
窓枠の縦枠材１の中央部に回転軸４を水平状に突出させ、この回転軸４に固定式歯車５を外嵌めしビス６で螺締する。
【００１２】
板状の開閉アーム７と板状の開閉レバー８を一体化して、その中間部に前記回転軸４を枢着して回動自在に設ける。
【００１３】
開閉アーム７の基端に水平状にガイドローラ１７を突設し、面格子３の縦枠の溝状ガイドレール１８に摺動自在に設ける。
【００１４】
開閉レバー８の外側側面に、図３に示すように、先端に櫛状歯９を刻設した板状のクラッチレバー１０を摺動自在に設け、クラッチレバー１０の櫛状歯９が固定歯車５と噛み合うように付勢する復帰バネ１１を設ける。
【００１５】
開閉レバー８に起立させた支持ピン１２と、クラッチレバー１０から起立させて開閉レバー８の長孔１３に突入した支持ピン１４の先端間にコイル状の引っ張り復帰バネ１１を張設する。復帰バネ１１の付勢力によりクラッチレバー１０は常時引っ張られてクラッチレバー１０の先端の櫛状歯９は固定式歯車５と噛み合っている。この際、支持ピン１４は長孔１３の図２の左端に位置する。
【００１６】
クラッチレバー１０の基端には、開閉レバー８の長孔１５を貫入したクラッチレバーハンドル１６が水平状に固着され、開閉レバー８の長孔１３より端部に水平状に開閉ハンドル１９が固着される。
【００１７】
次に、この開閉面格子の作動について述べる。
【００１８】
図１および図２において、クラッチレバーハンドル１６を開閉ハンドル１９側に引き寄せると、クラッチレバーハンドル１６が長孔１５内を外方向に移動し、支持ピン１４も長孔１３内を外方向に移動して、クラッチレバー１０も外方向に移動して、クラッチレバー１０の櫛状歯９が離れて固定式歯車５との規制が解除され、開閉レバー８は自由に回動できる。開閉レバー８を下方へ押し下げると、開閉アーム７は下方より側方に移動し、開閉アーム７の先端のガイドローラ１７に面格子３の溝状ガイド１８が案内されて、面格子３は庇状となる。
【００１９】
クラッチレバーハンドル１６から手を放すと、復帰バネ１１の付勢力によりクラッチレバー１０の櫛状歯９が固定式歯車４と噛み合って、面格子３を任意の位置で固定する。
【００２０】
図４には窓閉側の開閉面格子の側面図、図５は図４の平面図である。
【００２１】
ネジ式ストッパー２１は、図５に示すように、開閉レバー８を通り、クラッチレバー１０に螺着される。
【００２２】
ネジ式ストッパー２１側の窓が閉まっていても、面格子３の開閉は可能であり、本開閉面格子は、ネジ式ストッパー２１により開閉レバー８を螺締するので、面格子３を開けている時に面格子３を安定させる。
【００２３】
ネジ式ストッパー２１のネジを緩め、回転軸４方向にクラッチレバー１０を移動させると、その先端の櫛状歯９が固定式歯車５に規制され、面格子３は固定される。面格子３の固定位置を決定後、ネジ式ストッパー２１のネジを締める。
【００２４】
ネジ式ストッパー２１によりクラッチレバー１０先端の櫛状歯車９が固定式歯車５と噛み合っているので、面格子３の開閉はできない。
【００２５】
上記の面格子は以下に述べるように種々のものが用いられる。
【００２６】
図６に示す格子タイプ、図７のスダレタイプ、図８の格子とスダレを合体したタイプ、図９のラチスタイプ、図１０のスダレタイプ、図１１のラチスとスダレを合体したタイプ、図１２の横式ルーバータイプ、図１３の横式ルーバーとパネルとを合体したタイプ、図１４の縦式ルーバータイプ、図１５の縦式ルーバーとパネルとを合体したタイプがある。
【００２７】
なお、開閉レバーは折り畳み式にして長さを長くし、開閉力を小さくすることができる。
【００２８】
用途としては、開閉式面格子、開閉式日除け、開閉式目隠し、開閉式ガラリ、開閉式雨戸、開閉式庇等として用いることができる。
【００２９】
次に、２段アーム式の開閉面格子について説明する。
【００３０】
図１６は窓開側側面図で、図１７は図１６の平面図である。
【００３１】
窓枠の縦枠材５１の上部に水平状にして枢軸５２を突設する。窓枠の開口を開閉する面格子５３を前記枢軸５２の回りに回動自在に設ける。
【００３２】
窓枠の縦枠材５１の中央部に、回転軸５４を水平状に突出させ、この回転軸５４に開閉レバー５５と第一アーム５６を一体化してその中間部に回転軸５４を枢着して回動自在に設け、第一アーム５６の先端に第二アーム５７の基端をピン５９を介して枢着し、第一アーム５６の先端を面格子５３の縦枠５８外面にピン６２を介して枢着し、開閉レバー５５の基端に水平状に開閉ハンドル６０を設ける。
【００３３】
開閉ハンドル６０を回動させて第一アーム５６と第二アーム５７とが直線になる位置を超え開閉ハンドル６０を回動させ、面格子５３を固定させる。面格子５３の開き角度は一定で任意の位置での固定は不可である。
【００３４】
なお、図１８に示すように、開閉レバー５５と第一アーム５６とは、角度調整ピン６１を打設して開閉レバー５５と第一アーム５６との角度を決める。
【００３５】
図１９は窓閉側の側面図で、図２０はその平面図である。
【００３６】
ストッパーハンドル６３を第一アーム５６に設けて面格子５３の開いた状態を安定して保持でき、ストッパーハンドル６３側の窓が閉まった状況でも面格子５３の開閉はできる。
【００３７】
ストッパーハンドル６３を回動させて、ストッパーハンドル６３と一体化された第一アーム５６と面格子３の縦枠５８外面に設けられた第二アーム５７が直線になる位置を超えてストッパーハンドル６３を回動させると、ストッパーハンドル６３から手を放しても面格子５３は固定される。
【００３８】
上記の面格子は以下に述べるように種々のものが用いられる。
【００３９】
図６に示す格子タイプ、図７のスダレタイプ、図８の格子とスダレを合体したタイプ、図９のラチスタイプ、図１０のスダレタイプ、図１１のラチスとスダレを合体したタイプ、図１２の横式ルーバータイプ、図１３の横式ルーバーとパネルとを合体したタイプ、図１４の縦式ルーバータイプ、図１５の縦式ルーバーとパネルとを合体したタイプがある。
【００４０】
用途としては、脱出用開閉面格子、脱出用開閉目隠し、開閉式庇、脱出用開閉雨戸、脱出用開閉ガラリ等がある。
【００４１】
【発明の効果】
本発明は、上述のように、窓枠の縦枠材の上方に枢軸を突設し、窓枠の開口を開閉する面格子を前記枢軸の回りに回動自在に設け、窓枠の縦枠材の中央部に回転軸を突設し、回転軸に固定式歯車を嵌めて固定し、開閉アームと開閉レバーを一体化してその中間部に前記回転軸を枢着して回動自在に設け、開閉アームの先端のガイドローラを面格子縦枠の溝状ガイドに摺動自在に設け、開閉レバーの側面に先端に櫛状歯を刻設したクラッチレバーを摺動自在に設け、クラッチレバーの櫛状歯が固定式歯車と噛み合うように付勢する復帰バネを設けてなる開閉面格子であるので、面格子を単純な構成でしかも簡単な操作で庇状にすることができる。
【００４２】
また、本発明は、窓枠の縦枠材の上方に枢軸を突設し、窓枠の開口を開閉する面格子を前記枢軸の回りに回動自在に設け、窓枠の縦枠材の中央部に回転軸を突設し、開閉レバーと第一アームを一体化してその中間部に前記回転軸を枢着して回動自在に設け、第一アームの先端に第二アームの基端を枢着し、第一アームの先端を面格子縦枠外面に枢着し、開閉レバーの基端に開閉ハンドルを設け、第一アームと第二アームとが直線になる位置を超えて開閉レバーを回動させ面格子を固定するようにして開閉面格子であるので、面格子を単純な構成でしかも簡単な操作で庇状にすることができる。
【図面の簡単な説明】
【図１】本発明の具体的な一実施例の窓開側側面図である。
【図２】図１の平面図である。
【図３】本発明の固定式歯車とクラッチレバーとの関係を示す側面図である。
【図４】本発明の窓閉側側面図である。
【図５】図４の平面図である。
【図６】本発明の面格子の種々のタイプの中の一つで、格子タイプの面格子の正面図である。
【図７】本発明のスダレタイプの面格子の正面図である。
【図８】本発明の格子とスダレを合体したタイプの面格子の正面図である。
【図９】本発明のラチスタイプの面格子の正面図である。
【図１０】本発明のスダレタイプの面格子の正面図である。
【図１１】本発明のラチスとスダレを合体したタイプの面格子の正面図である。
【図１２】本発明の横式ルーバータイプの面格子の正面図である。
【図１３】本発明の横式ルーバーとパネルとを合体したタイプの面格子の正面図である。
【図１４】本発明の縦式ルーバータイプの面格子の正面図である。
【図１５】本発明の縦式ルーバーとパネルを合体した面格子の正面図である。
【図１６】本発明の具体的な一実施例の窓開側側面図である。
【図１７】図１６の平面図である。
【図１８】本発明の第二アーム、第一アームおよび開閉レバーの関係を示す側面図である。
【図１９】本発明の窓閉側側面図である。
【図２０】図１９の平面図である。
【符号の説明】
１…縦枠材
２…枢軸
３…面格子
４…回転軸
５…固定式歯車
７…開閉アーム
８…開閉レバー
１７…ガイドローラ
１８…溝状ガイド
９…櫛状歯
１０…クラッチレバー
１１…復帰バネ
５１…縦枠材
５２…枢軸
５３…面格子
５４…回転軸
５５…開閉レバー
５６…第一アーム
５７…第二アーム
５８…縦枠
６０…開閉ハンドル
【図１】
2004108092.tif 000003
【図２】
2004108092.tif 000004
【図３】
2004108092.tif 000005
【図４】
2004108092.tif 000006
【図５】
2004108092.tif 000007
【図６】
2004108092.tif 000008
【図７】
2004108092.tif 000009
【図８】
2004108092.tif 000010
【図９】
2004108092.tif 000011
【図１０】
2004108092.tif 000012
【図１１】
2004108092.tif 000013
【図１２】
2004108092.tif 000014
【図１３】
2004108092.tif 000015
【図１４】
2004108092.tif 000016
【図１５】
2004108092.tif 000017
【図１６】
2004108092.tif 000018
【図１７】
2004108092.tif 000019
【図１８】
2004108092.tif 000020
【図１９】
2004108092.tif 000021
【図２０】
2004108092.tif 000022